【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
ホストコンピュータから送信されたページ単位の印刷データを受信し、該印刷データに基づき印刷を行うプリンタ機能および原稿画像を読み取り、その画像データを前記ホストコンピュータに転送するスキャナ機能を有する複合機において、
前記スキャナ機能の動作状況を前記ホストコンピュータへ通知する通知手段と、
前記ホストコンピュータから前記通知された動作状況に応じて出された指示に基づき前記スキャナ機能の動作を制御する制御手段とを備え、
前記制御手段は、前記ホストコンピュータから送信されたＮページ目の印刷データの受信終了後からＮ＋１ページ目の印刷データの受信開始までの期間中に前記画像データを前記ホストコンピュータに転送するように前記スキャナ機能の動作を制御することを特徴とする複合機。
【請求項２】
前記通知手段は、前記スキャナ機能の動作状況として、前記画像データを前記ホストコンピュータへの転送を要求する転送要求情報を通知することを特徴とする請求項１記載の複合機。
【請求項３】
前記ホストコンピュータから出された指示は、転送可能なデータ量を含み、前記制御手段は前記画像データのうち、前記転送可能なデータ量以下のデータを送信することを特徴とする請求項１または２いずれかに記載の複合機。
【請求項４】
前記プリンタ機能は、インクジェットプリンタまたはレーザビームプリンタを含む手段から構成されることを特徴とする請求項１記載の複合機。
【請求項５】
ホストコンピュータから送信された１ライン毎の印刷データを受信し、該印刷データに基づき印刷を行うプリンタ機能、および原稿画像を読み取り、その画像データを前記ホストコンピュータに転送するスキャナ機能を有する複合機において、
前記スキャナ機能の動作状況を前記ホストコンピュータへ通知する通知手段と、
前記ホストコンピュータから前記通知された動作状況に応じて出された指示に基づき前記スキャナ機能の動作を制御する制御手段とを備え、
前記制御手段は、前記ホストコンピュータから送信されたＮライン目の印刷データの受信終了後からＮ＋１ライン目の印刷データの受信開始までの期間中に前記画像データを前記ホストコンピュータに転送するように前記スキャナ機能の動作を制御することを特徴とする複合機。
【請求項６】
前記通知手段は、前記スキャナ機能の動作状況として、前記画像データを前記ホストコンピュータへの転送を要求する転送要求情報を通知することを特徴とする請求項５記載の複合機。
【請求項７】
前記ホストコンピュータから出された指示は、転送可能なデータ量を含み、前記制御手段は前記画像データのうち、前記転送可能なデータ量以下のデータを送信することを特徴とする請求項１または２いずれかに記載の複合機。
【請求項８】
前記プリンタ機能は、インクジェットプリンタまたはレーザビームプリンタを含む手段から構成されることを特徴とする請求項４記載の複合機。
【請求項９】
ホストコンピュータから送信されたページ単位の印刷データを受信し、該印刷データに基づき印刷を行うプリンタ機能および原稿画像を読み取り、その画像データを前記ホストコンピュータに転送するスキャナ機能を有する複合機における画像データの転送方法において、
前記スキャナ機能の動作状況を前記ホストコンピュータへ通知する通知工程と、
前記ホストコンピュータから前記通知された動作状況に応じて出された指示に基づき、前記ホストコンピュータから送信されたＮページ目の印刷データの受信終了後からＮ＋１ページ目の印刷データの受信開始までの期間中に前記画像データを前記ホストコンピュータに転送するように前記スキャナ機能の動作を制御する制御工程と
を有することを特徴とする画像データの転送方法。
【請求項１０】
ホストコンピュータから送信された１ライン毎の印刷データを受信し、該印刷データに基づき印刷を行うプリンタ機能、および原稿画像を読み取り、その画像データを前記ホストコンピュータに転送するスキャナ機能を有する複合機における画像データの転送方法において、
前記スキャナ機能の動作状況を前記ホストコンピュータへ通知する通知工程と、
前記ホストコンピュータから前記通知された動作状況に応じて出された指示に基づき、前記ホストコンピュータから送信されたＮライン目の印刷データの受信終了後からＮ＋１ライン目の印刷データの受信開始までの期間中に前記画像データを前記ホストコンピュータに転送するように前記スキャナ機能の動作を制御する制御工程と
を有することを特徴とする画像データの転送方法。
【請求項１１】
ホストコンピュータから送信されたページ単位の印刷データを受信し、該印刷データに基づき印刷を行うプリンタ機能および原稿画像を読み取り、その画像データを前記ホストコンピュータに転送するスキャナ機能を有する複合機により実行されるプログラムであって、
前記スキャナ機能の動作状況を前記ホストコンピュータへ通知する通知ステップと、
前記ホストコンピュータから前記通知された動作状況に応じて出された指示に基づき、前記ホストコンピュータから送信されたＮページ目の印刷データの受信終了後からＮ＋１ページ目の印刷データの受信開始までの期間中に前記画像データを前記ホストコンピュータに転送するように前記スキャナ機能の動作を制御する制御ステップと
を有することを特徴とするプログラム。
【請求項１２】
ホストコンピュータから送信された１ライン毎の印刷データを受信し、該印刷データに基づき印刷を行うプリンタ機能、および原稿画像を読み取り、その画像データを前記ホストコンピュータに転送するスキャナ機能を有する複合機により実行されるプログラムであって、
前記スキャナ機能の動作状況を前記ホストコンピュータへ通知する通知ステップと、
前記ホストコンピュータから前記通知された動作状況に応じて出された指示に基づき、前記ホストコンピュータから送信されたＮライン目の印刷データの受信終了後からＮ＋１ライン目の印刷データの受信開始までの期間中に前記画像データを前記ホストコンピュータに転送するように前記スキャナ機能の動作を制御する制御ステップと
を有することを特徴とするプログラム。
【請求項１３】
請求項１１記載のプログラムを格納したことを特徴とするコンピュータ読取り可能な記憶媒体。
【請求項１４】
請求項１２記載のプログラムを格納したことを特徴とするコンピュータ読取り可能な記憶媒体。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１８
【補正方法】変更
【補正の内容】
【００１８】
また、本発明は、上記目的を達成するため、請求項１１記載のプログラムを格納したことを特徴とする。
【手続補正７】
【補正対象書類名】明細書
【補正対象項目名】００１９
【補正方法】変更
【補正の内容】
【００１９】
また、本発明は、上記目的を達成するため、請求項１２記載のプログラムを格納したことを特徴とする。
【手続補正８】
【補正対象書類名】明細書
【補正対象項目名】００２６
【補正方法】変更
【補正の内容】
【００２６】
上記エンジン部４は、図２に示すように、レーザビームプリンタ（ＬＢＰ）からなり、該レーザビームプリンタは、ホストコンピュータ１から供給される印刷情報に従って記録媒体である記録紙などに画像を形成する。レーザビームプリンタは、本体１５００を有し、本体１５００には、操作パネル１５０１およびプリンタ制御ユニット１０００が設けられている。操作パネル１５０１には、装置操作のためのスイッチおよびＬＥＤ表示器などが配置されている。プリンタ制御ユニット１０００は、プリンタ全体の制御を行う。このプリンタ制御ユニット１０００は、印刷情報をビデオ信号に変換してレーザドライバ１５０２に出力する。レーザドライバ１５０２は、半導体レーザ１５０３を駆動するための回路であり、入力されたビデオ信号に応じて半導体レーザ１５０３から発射されるレーザ光１５０４のオン／オフ切換えを行う。
【手続補正９】
【補正対象書類名】明細書
【補正対象項目名】００２７
【補正方法】変更
【補正の内容】
【００２７】
レーザ光１５０４は、回転多面鏡１５０５で左右方向に振らされて静電ドラム１５０６上を走査露光する。これにより、静電ドラム１５０６上には文字パターン静電潜像が形成されることになる。この静電潜像は、静電ドラム１５０６の周囲に配設された現像ユニット１５０７により現像されてトナー像として可視像化された後、記録紙に転写される。この記録紙には、カットシートが用いられる。カットシートの記録紙は、本体１５００に装着された用紙カセット１５０８に収納され、給紙ローラ１５０９および各搬送ローラ１５１０，１５１１により、装置内に取り込まれて静電ドラム１５０６に供給される。